(57)【要約】  ゲート選択ロッドと、シフトエレメントとが開示される。ゲート選択ロッドとシフトエレメントとは互いに固定エレメントなしに結合させることができる。さらに、ゲート選択ロッドとシフトエレメントとから成るシステムと、システムを有する伝動装置アクチュエータと、システムまたは伝動装置アクチュエータを有する伝動装置とが開示される。
2022501557.tif 000002
【特許請求の範囲】
【請求項１】
シフトエレメント（２）を支承するために形成されているゲート選択ロッド（１）であって、
該ゲート選択ロッド（１）が、軸線（６）および結合幾何学形状（３）を有しており、該結合幾何学形状（３）は、前記軸線（６）に沿った１つの位置において形状結合により前記シフトエレメント（２）を位置固定するために形成されている、ゲート選択ロッド（１）。
【請求項２】
前記結合幾何学形状（３）は、前記軸線（６）に沿った位置固定部を形成するために前記シフトエレメント（２）の対応幾何学形状（７）に係合するために、形成されており、かつ
前記結合幾何学形状（３）が、凹設部および／または突起部として、前記ゲート選択ロッド（１）上に、かつ／または前記ゲート選択ロッド（１）内に形成されている、請求項１記載のゲート選択ロッド（１）。
【請求項３】
前記結合幾何学形状（３）が、特にカム、突出部、キー、突起または溝として形成されており、かつ／または
前記ゲート選択ロッド（１）、好適には前記結合幾何学形状（３）は、前記対応幾何学形状（７）の開口（５）内に導入されるように、形成されている、請求項１または２記載のゲート選択ロッド（１）。
【請求項４】
前記結合幾何学形状（３）は、前記軸線（６）を中心とした、前記対応幾何学形状（７）に対して相対的な前記ゲート選択ロッド（１）の回転（Ｙ）により、前記対応幾何学形状（７）に係合し、前記位置固定部を形成するために、形成されている、かつ／または
前記結合幾何学形状（３）は、前記ゲート選択ロッド（１）の前記軸線（６）を中心とした前記シフトエレメント（２）の回転運動を、前記軸線（６）に沿った前記位置固定部が解除されることなしに、少なくとも所定の角度範囲にわたって妨げないように、形成されており、かつ／または
前記ゲート選択ロッド（１）は、好適には前記軸線（６）を中心として回動防止されて伝動装置アクチュエータ内に設けられるように、形成されている、請求項１から３までのいずれか１項記載のゲート選択ロッド（１）。
【請求項５】
ゲート選択ロッド（１）の軸線（６）に沿って前記ゲート選択ロッド（１）上に位置固定されるように形成されているシフトエレメント（２）であって、
該シフトエレメント（２）が、対応幾何学形状（７）を有しており、該対応幾何学形状（７）は、前記ゲート選択ロッド（１）の前記軸線（６）に沿った１つの位置において前記シフトエレメント（２）を位置固定するために、形成されている、シフトエレメント（２）。
【請求項６】
前記対応幾何学形状（７）は、前記軸線（６）に沿った位置固定部を形成するために前記ゲート選択ロッド（１）の結合幾何学形状（３）に係合するために、形成されており、かつ
前記対応幾何学形状（７）が、凹設部および／または突起部として、前記シフトエレメント（２）上に、かつ／または前記シフトエレメント（２）内に形成されている、かつ／または
前記対応幾何学形状（７）は、前記シフトエレメント（２）を、前記結合幾何学形状（３）に適合された幾何学形状により前記結合幾何学形状（３）と一緒にブロックするために形成されている相補幾何学形状として形成されている、請求項５記載のシフトエレメント（２）。
【請求項７】
前記対応幾何学形状（７）が、特にカム、突出部、キー、突起または溝として形成されている、かつ／または
前記シフトエレメント（２）、特に前記対応幾何学形状（７）が、開口（５）を有しており、該開口（５）は、前記ゲート選択ロッド（１）、好適には前記結合幾何学形状（３）を収容するために形成されており、
前記開口（５）が、好適には貫通孔として構成されている、請求項５または６記載のシフトエレメント（２）。
【請求項８】
前記対応幾何学形状（７）は、前記結合幾何学形状（３）に対して相対的な、前記軸線（６）を中心とした回転（Ｙ）により、前記結合幾何学形状（３）に係合し、前記位置固定部を形成するために形成されており、かつ／または
前記対応幾何学形状（７）は、前記ゲート選択ロッド（１）の前記軸線（６）を中心とした前記シフトエレメント（２）の回転運動を、前記軸線（６）に沿った前記位置固定部が解除されることなしに、少なくとも所定の角度範囲にわたって妨げないように、形成されている、請求項５から７までのいずれか１項記載のシフトエレメント（２）。
【請求項９】
前記シフトエレメント（２）が、シフトフィンガとして形成されている、かつ／または伝動装置アクチュエータ内に設けられるように、形成されている、請求項５から８までのいずれか１項記載のシフトエレメント（２）。
【請求項１０】
請求項１から４までのいずれか１項記載のゲート選択ロッド（１）と、
請求項５から９までのいずれか１項記載のシフトエレメント（２）とから成るシステムであって、該システムが、伝動装置アクチュエータ内に組み込むために形成されている、システム。
【請求項１１】
請求項１０に記載のシステムを有する伝動装置アクチュエータであって、
該伝動装置アクチュエータが、シフトエレメント（２）により伝動装置の少なくとも１つの伝動装置シフトエレメントを操作するために形成されている、伝動装置アクチュエータ。
【請求項１２】
請求項１０記載のシステムまたは請求項１１記載の伝動装置アクチュエータを有する伝動装置、特にマニュアルトランスミッションであって、
前記伝動装置は、前記システムまたは前記伝動装置アクチュエータのシフトエレメント（２）により、前記伝動装置の少なくとも１つの伝動装置シフトエレメントを操作することができるように、形成されている、伝動装置。
【発明の詳細な説明】
【技術分野】
【０００１】
本発明は、伝動装置、特にマニュアルトランスミッション用のシフトエレメントおよびゲート選択ロッドに関する。さらに本発明は、本発明に係るゲート選択ロッドと本発明に係るシフトエレメントから成るシステムと、本発明に係るシステムを有する伝動装置アクチュエータと、本発明に係るシステムまたは本発明に係る伝動装置アクチュエータを有する伝動装置とに関する。
【０００２】
伝動装置は、今日、シフトエレメントにより切り替えられる。このシフトエレメントは、ゲート選択ロッドの軸線を中心として回転可能に構成されている。このためには、シフトエレメントは、ゲート選択ロッド上に軸方向で位置固定されている。ゲート選択ロッドは、ゲート選択方向、好適にはその軸線の方向で移動させることができ、これによりシフトエレメントを所望の位置へと移動させることができる。この位置において、シフトエレメントは、所望の伝動装置シフトエレメント、特にシフトアクチュエータ（Schaltlineal）に係合させられる。伝動装置シフトエレメントは、たとえばシフトスリーブにより伝動装置の対応するギヤに入れられるシフト位置に移動させられるように、形成されている。通常、伝動装置シフトエレメントは、シフトエレメントの回転運動によってシフト位置にもたらされる。この回転運動時にシフトエレメントは伝動装置シフトエレメントを移動させる。シフトエレメントは、ゲート選択ロッドの軸線を中心として回転するように形成されている。
【０００３】
しかし、ゲート選択ロッド上におけるシフトエレメントの取付けは、実際には構造的に手間がかかり、シフトエレメントをゲート選択ロッド上において軸方向で位置固定する別の構成部材が設けられる。これにより、特に、このようなシフトエレメントを有するシフトアクチュエータまたは伝動装置のメンテナンス時に、高められた取外し手間もしくは組付け手間に対処しなければならない。
【０００４】
したがって、本発明の課題は、シフトエレメントとゲート選択ロッドとの間の、簡単に製造可能かつ簡単に組付け可能であり、大きな手間なしに解除もしくは製造可能である結合部を提供することにある。
【０００５】
この課題は、独立請求項に記載の対象により解決される。有利な改良形は、従属請求項の対象である。
【０００６】
本発明によれば、シフトエレメントを支承するために形成されているゲート選択ロッドが規定されている。ゲート選択ロッドは、軸線および結合幾何学形状を有しており、結合幾何学形状は、軸線に沿った１つの位置において形状結合によりシフトエレメントを位置固定するために形成されている。したがって、有利にはゲート選択ロッド上には、シフトエレメントを位置固定するために別のエレメントを取り付けたり、設けたりする必要がない。
【０００７】
ゲート選択ロッドは、好適には、伝動装置アクチュエータ内に設けるために形成されている。
【０００８】
結合幾何学形状は、好適には、軸線に沿った位置固定部を形成するためにシフトエレメントの対応幾何学形状に係合するために、形成されている。これにより、位置固定部を形成するための別のエレメントは不要となる。なぜならば、ゲート選択ロッドとシフトエレメントとが、対応する幾何学形状を有しているからである。
【０００９】
結合幾何学形状は、好適には、凹設部および／または突起部として、ゲート選択ロッド上に、かつ／またはゲート選択ロッド内に形成されている。
【００１０】
好適には、結合幾何学形状は、特にカム、突出部、キー、突起または溝として形成されている。容易に製造することができる形状として結合幾何学形状を形成することが有利である。しかし、場合によってはゲート選択ロッド上でのシフトエレメントの改善された位置固定またはガイドを可能にするより複雑な形状が設けられていてもよい。
【００１１】
特にカム、突出部、キー、突起または溝のようなエレメントから成る結合幾何学形状の形成は、結合幾何学形状の製造を容易にする。
【００１２】
さらに、好適には、結合幾何学形状は、複数のエレメントが、軸線に沿った１つの位置において、ゲート選択ロッドの軸線を取り囲んで、好適には同一の角度間隔で、特に好適には１つの円上に配置されているように、形成されている。
【００１３】
代替的または付加的には、ゲート選択ロッド、特に好適には結合幾何学形状が、対応幾何学形状の開口内に導入されるように、形成されている。これにより、ゲート選択ロッドとシフトエレメントとが両方とも差し合せ可能に形成されていることにより、ゲート選択ロッドとシフトエレメントとの簡単な組付けが可能にされる。
【００１４】
結合幾何学形状は、好適には、ゲート選択ロッドの軸線を中心とした、対応幾何学形状に対して相対的な回転により、対応幾何学形状に係合し、位置固定部を形成するために、形成されている。したがって、ゲート選択ロッドとシフトエレメントとの組付けを、別の工具または補助手段なしに行うことができる。
【００１５】
代替的または付加的には、結合幾何学形状は、特に位置固定部が形成されている場合に、ゲート選択ロッドの軸線を中心とした、シフトエレメントの回転運動を、軸線に沿った位置固定部が解除されることなしに、少なくとも所定の角度範囲にわたって、妨げないように形成されている。したがって、シフトエレメントは、たとえば伝動装置アクチュエータ内で、伝動装置における切替えを実施するために回転運動を実施することができ、この場合に位置固定部が解除されることはない。単に、伝動装置アクチュエータの運転中に、シフトエレメントが、結合幾何学形状と対応幾何学形状がゲート選択ロッドの軸線に沿って互いに離れるように解除されてしまうほど回転させられないことだけが確保されていればよい。
【００１６】
代替的または付加的には、ゲート選択ロッドは、好適には、その軸線を中心として回動防止されて伝動装置内に設けられるように、形成されている。したがって、ゲート選択ロッドが回転軸線を形成し、この回転軸線を中心としてシフトエレメントが回転可能である。
【００１７】
本発明によれば、さらに、ゲート選択ロッドの軸線に沿ってゲート選択ロッド上に位置固定されるように形成されているシフトエレメントが規定されている。このシフトエレメントは、対応幾何学形状を有しており、対応幾何学形状は、ゲート選択ロッドの軸線に沿った１つの位置においてシフトエレメントを位置固定するために形成されている。したがって、有利には、シフトエレメント上には、シフトエレメントを位置固定するために別のエレメントを取り付けたり、設けたりする必要がない。
【００１８】
シフトエレメントは、好適にはシフトフィンガとして形成されている。
【００１９】
シフトエレメントは、好適には、伝動装置アクチュエータ内に設けられるように、形成されている。
【００２０】
対応幾何学形状は、好適には、位置固定部を形成するためにゲート選択ロッドの結合幾何学形状に係合するために、形成されている。これにより、位置固定部を形成するための別のエレメントは不要となる。なぜならば、ゲート選択ロッドとシフトエレメントとが、対応する幾何学形状を有しているからである。
【００２１】
対応幾何学形状は、好適には、シフトエレメントを、結合幾何学形状に適合された幾何学形状により結合幾何学形状と一緒にブロックするために形成されている相補的な幾何学形状として形成されている。ブロックは、好適には１つの空間方向で遊びなしに行われる。
【００２２】
対応幾何学形状は、好適には、凹設部および／または突起部として、シフトエレメント上に、かつ／またはシフトエレメント内に形成されている。
【００２３】
好適には、対応幾何学形状は、特にカム、突出部、キー、突起または溝として形成されている。容易に製造することができる形状として対応幾何学形状を形成することが有利である。しかし、場合によってはゲート選択ロッド上でのシフトエレメントの改善された位置固定またはガイドを可能にするより複雑な形状が設けられていてもよい。
【００２４】
特にカム、突出部、キー、突起または溝のようなエレメントから成る対応幾何学形状の形成は、対応幾何学形状の製造を容易にする。
【００２５】
さらに、好適には対応幾何学形状は、複数のエレメントが１つの円上に、好適には同一の角度間隔で配置されているように、形成されている。
【００２６】
代替的または付加的には、シフトエレメント、特に対応幾何学形状は、開口を有している。この開口は、ゲート選択ロッド、好適には結合幾何学形状を収容するために、形成されており、開口は、好適には貫通孔として形成されている。これにより、ゲート選択ロッドとシフトエレメントとが両方とも差し合せ可能に形成されていることにより、ゲート選択ロッドとシフトエレメントとの簡単な組付けが可能にされる。貫通孔としての開口の形成は、さらに、ゲート選択ロッドの両端部が、位置固定部の形成後に自由であることを可能にし、ゲート選択ロッドを両端部において、たとえば伝動装置アクチュエータ内に支承することができる。これにより正確な運転が可能にされる。なぜならば、このような支承は、特にゲート選択ロッドの発生する曲げを減少させるからである。
【００２７】
好適には、対応幾何学形状は、ゲート選択ロッドの軸線を中心とした、結合幾何学形状に対して相対的な回転により、結合幾何学形状に係合し、位置固定部を形成するために、形成されている。したがって、ゲート選択ロッドとシフトエレメントとの組付けを、別の工具または補助手段なしに行うことができる。
【００２８】
代替的または付加的には、対応幾何学形状は、特に位置固定部が形成されている場合に、ゲート選択ロッドの軸線を中心とした、シフトエレメントの回転運動を、軸線に沿った位置固定部が解除されることなしに、少なくとも所定の角度範囲にわたって、妨げないように形成されている。したがって、シフトエレメントは、たとえば伝動装置アクチュエータ内で、伝動装置における切替えを実施するために回転運動を実施することができ、この場合に位置固定部が解除されることはない。単に、伝動装置アクチュエータの運転中に、シフトエレメントが、結合幾何学形状と対応幾何学形状がゲート選択ロッドの軸線に沿って互いに離れるように解除されてしまうほど回転させられないことだけが確保されていればよい。
【００２９】
ゲート選択ロッドの軸線を中心としたシフトエレメントの回転運動は、好適にはゲート選択ロッドに対して相対的に行われる。
【００３０】
本発明によればさらに、本発明に係るゲート選択ロッドと本発明に係るシフトエレメントとから成るシステムが規定されている。上述のゲート選択ロッドと、上述のシフトエレメントとを、好適にはシステムとして、伝動装置アクチュエータ内または伝動装置内に組み込むために形成することができる。
【００３１】
好適には、ゲート選択ロッドの結合幾何学形状と、シフトエレメントの対応幾何学形状とが互いに係合するので、ゲート選択ロッドの軸線に沿ったシフトエレメントの位置固定部が形成されている。
【００３２】
本発明によれば、さらに、本発明に係るシステムを有している伝動装置アクチュエータが規定されている。伝動装置アクチュエータは、シフトエレメントにより、伝動装置の少なくとも１つの伝動装置シフトエレメントを操作するために、形成されている。
【００３３】
伝動装置アクチュエータは、好適には、ゲート選択ロッドを操作装置によりゲート選択のために移動または旋回させるために形成されている。さらに好適には、伝動装置アクチュエータは、伝動装置シフトエレメントを操作するために、操作装置によってゲート選択ロッドを中心としてシフトエレメントを回転させるように、形成されている。
【００３４】
操作は、好適には、電気的、ニューマチック式または力をシステムに作用させることができる別の適切な形式により実施することができる。
【００３５】
本発明によれば、さらに、本発明によるシステムまたは本発明による伝動装置アクチュエータを有している伝動装置、特にマニュアルトランスミッションが規定されている。伝動装置は、シフトエレメントにより、伝動装置の少なくとも１つの伝動装置シフトエレメント、好適にはシフトアクチュエータを操作することができるように、形成されている。
【００３６】
本発明による伝動装置は、好適には少なくとも１つの伝動装置シフトエレメントを有している。
【００３７】
本発明によるシステムを備えた伝動装置アクチュエータまたは伝動装置の構成により、伝動装置を容易にメンテナンスすることができるように、形成することができる。なぜならば、ゲート選択ロッドとシフトエレメントとは迅速かつ工具および別のエレメントなしに取り外すことができるからである。新たな組み付けも容易にされている。
【００３８】
以下に、本発明の好適な実施形態の説明を添付の図面を用いて行う。
【図面の簡単な説明】
【００３９】
【図１ａ】本発明に係るゲート選択ロッドおよび本発明に係るシフトエレメントの、第１の組付けステップ中における原理的な断面図である。
【図１ｂ】第２の視線方向から見た、図１ａと同一の構成を示す図である。
【図２ａ】第２の組付けステップ中における、図１ａと同一の視線方向から見た、同一の構成を示す図である。
【図２ｂ】第３の視線方向から見た、図２ａと同一の構成を示す図である。
【００４０】
図１ａは、本発明に係るゲート選択ロッド１と、本発明に係るシフトエレメント２との、第１の組付けステップ中における原理的な断面図を示しており、図１ｂは、この組付けステップを、図１ａの図面に対して９０°だけ回転させられた視線方向ＢＲ１から示している。
【００４１】
軸線６を有しているゲート選択ロッド１が示されている。ゲート選択ロッド１と軸線６とは、図面では左から右へと配向されている。ゲート選択ロッド１は、その周面に結合幾何学形状３を有している。この結合幾何学形状３は、軸線６に対して最大の間隔を有している最大隆起部４を有している。
【００４２】
さらに、シフトエレメント２が、断面図で示されている。シフトエレメント２は、対応幾何学形状７を有しており、この対応幾何学形状７は、シフトエレメント２内に形成されている。シフトエレメント２、特に対応幾何学形状７は、開口５を有している。この開口５内にゲート選択ロッド１、特に結合幾何学形状３が導入されている。開口５は、本実施形態では貫通孔として形成されているので、ゲート選択ロッド１は、開口５を通じてシフトエレメント２を貫通する。開口５は、図示された実施形態では、対応幾何学形状７の部分として形成されている。
【００４３】
開口５は、図１ａでは、シフトエレメント２の右側で、シフトエレメント２の左側におけるよりも大きな内径を有している。この内径は、軸線６を中心として回転対称に延びていない。図１ａに対して９０°だけ回転させられている図１ｂでは、開口５は、シフトエレメント２の右側において、左側における内径と同一の小さな内径を有している。
【００４４】
シフトエレメント２内の対応幾何学形状７は、さらに、この対応幾何学形状７内で結合幾何学形状３、特に最大隆起部４が軸線６を中心として妨げられずに回転することができるように、形成されている。開口５のより小さな直径は、この直径が結合幾何学形状３、特に最大隆起部４の、軸線６に対して平行な移動をブロックするように、形成されている。結合幾何学形状３、特に最大隆起部４の、軸線６に対して平行な移動は、結合幾何学形状３、特に最大隆起部４が開口５のより大きな直径に整合するように位置調整されている場合にのみ、可能である。
【００４５】
以下に、ゲート選択ロッド１とシフトエレメント２の組付けを説明する。
【００４６】
組付けのためには、ゲート選択ロッド１が、図１ａに図示されているように、シフトエレメント２の開口５内に、図示された移動Ｘの方向で導入される。ゲート選択ロッド１はその際にシフトエレメント２に対して、最大隆起部４を開口５のより大きな直径を通して案内することができるように、配向されている。
【００４７】
ゲート選択ロッド１とシフトエレメント２とは、移動Ｘの終了時に、図１ａおよび図１ｂに示したように配向されている。次いで、ゲート選択ロッド１とシフトエレメント２との、軸線６の方向への移動がブロックされる。このことは、図２ａおよび図２ｂに示されている。図２ａは、図１ａと同一の視線方向を有している。図２ｂは、視線方向ＢＲ２から、図２ａに示した構成の、９０°だけ回転させられた第２の図を示している。
【００４８】
ロックは、シフトエレメント２に対するゲート選択ロッド１の回転Ｙにより行われる。このようにして得られた、ゲート選択ロッド１とシフトエレメント２との位置調整では、結合幾何学形状３の最大隆起部４は、対応幾何学形状７に対して、軸線６に対して平行な、シフトエレメント２に対するゲート選択ロッド１の移動が可能ではないように、配向されている。したがって、開口５のより小さな内径が、最大隆起部４と一緒に、ゲート選択ロッド１とシフトエレメント２との間の、軸線６に沿った相対移動をブロックする。
【００４９】
したがって、ゲート選択ロッド１とシフトエレメント２との間のこのように形成された結合部は、シフトエレメント２をゲート選択ロッド１上において軸線６の方向で位置固定すると同時に、シフトエレメント２は、ゲート選択ロッド１を中心として回転可能である。結合部は、最大隆起部４が開口５のより大きな内径に一致するように位置調整されている場合に、専ら軸線６の方向で解除可能である。
【００５０】
ゲート選択ロッド１とシフトエレメント２とから成るこのようなシステムを伝動装置の操作のために使用する場合には、専ら、切替えを実施するためにゲート選択ロッド１の軸線６を中心として回転させられるシフトエレメント２が、最大隆起部４と開口５のより大きな直径との整合が排除される角度位置だけを通り過ぎることが確保されていればよい。したがって、このようなシステムの使用時に、軸線６を中心としたシフトエレメント２の完全な回転は許容されない。
【００５１】
以下に、伝動装置におけるこのシステムの使用を説明する。
【００５２】
システムは、ゲート選択および続く伝動装置内における切替えを実施することができるように、伝動装置内に設けられる。ゲート選択時に、伝動装置の対応する伝動装置シフトエレメントが選択され、次いで切替えによりシフト位置へと移行される。システムは、伝動装置内に直接に、または伝動装置を操作するために形成されている伝動装置アクチュエータ内に設けられていてよい。
【００５３】
ゲート選択のためには、シフトエレメント２が対応する伝動装置シフトエレメントと係合するようにシステムを移動させるために形成されている操作装置（Aktuierung）が設けられている。移動は、たとえば軸線６に沿って直線的に行うことができる。代替的または付加的には、ゲート選択は、たとえば、図１ａにおいて、図平面に対して垂直方向に配向されている１つの軸線を中心としたシステムの回転により実施することができる。
【００５４】
切替えのためには、別の操作装置が設けられている。この操作装置は、ゲート選択後に、シフトエレメント２をゲート選択ロッド１の軸線６を中心として回転させるために形成されている。この回転運動により、対応する伝動装置シフトエレメントと係合しているシフトエレメント２の１つの端部は旋回する。これにより、伝動装置シフトエレメントは１つのシフト位置に移行される。切替えが終了する。
【００５５】
操作装置として、たとえば電動モータ、ニューマチック式の作動部材またはシステムに力を作用させることができる別の適切な装置が設けられていてよい。
【００５６】
本発明は、上述の実施形態に制限されていない。むしろ、個々の実施形態の種々異なる特徴の組み合わせにより別の実施形態が形成可能である。個別の特徴を変更することもできる。たとえば、対応幾何学形状７の開口５を、貫通孔なしにも形成することができる。その代わりに、単に盲孔が形成されていてよく、この場合、ゲート選択ロッド１をもはやシフトエレメント２を通してガイドすることはできない。対応幾何学形状７を完全に開口５なしに形成することも可能である。代わりに、対応幾何学形状７は、たとえば、シフトエレメント２の、図１ａで右側の表面に形成されていてよい。対応して形成された結合幾何学形状３は、対応幾何学形状７と一緒に本発明による結合部を形成するために形成されている。
【００５７】
さらに、最大隆起部４を備えた、ゲート選択ロッド１の環状に延びる増厚部としての結合幾何学形状３の構成は必ずしも必要ではない。同様に、結合幾何学形状３が、凹設部、たとえば部分的に環状に延びる溝の形を有している実施形態も可能である。シフトエレメント２の対応幾何学形状７は、対応して突出部として、たとえば環状に延びる溝に係合する、開口５内のキーとして形成されている。組付けは、この実施形態では、たとえば、シフトエレメント２のキーが、ゲート選択ロッド１の溝に係合させられることにより行われる。溝は、軸線６に対して平行に延びていて、ゲート選択ロッド１の端部において終わる。この端部から、キーを備えたシフトエレメント２がゲート選択ロッド１上に被せ嵌められ、この溝に沿って、軸線６に沿った、このシフトエレメント２が位置固定されるべき位置にまで移動させられる。この位置において、部分的に環状に延びる溝は、軸線６に対して平行に延びる溝に接続する。キーがこの位置に到達すると、同様に回転Ｙにより位置固定が行われる。ゲート選択ロッド１、シフトエレメント２もしくはゲート選択ロッド１およびシフトエレメント２から成るシステムのその他の機能形式は上述の実施形態と同一である。
【符号の説明】
【００５８】
１  ゲート選択ロッド
２  シフトエレメント
３  結合幾何学形状
４  最大隆起部
５  開口
６  軸線
７  対応幾何学形状
ＢＲ１  視線方向
ＢＲ２  視線方向
Ｘ  移動
Ｙ  回転
【図１ａ】
2022501557.tif 000003
【図１ｂ】
2022501557.tif 000004
【図２ａ】
2022501557.tif 000005
【図２ｂ】
2022501557.tif 000006
【国際調査報告】
2022501557.tif 000007
2022501557.tif 000008
2022501557.tif 000009
2022501557.tif 000010